(57)【要約】      （修正有）【課題】清掃具本体の雌ねじ部分が異なっていても、共通するハンドルに着脱可能に連結できるアダプタを提供する。【解決手段】ハンドルおよび清掃具本体を着脱可能に連結するねじ込み式のアダプタ１０は、中央部１５と、中央部の一端に立設される第１雄ねじ部１１と、中央部の他端に立設され第１雄ねじ部と同一の外径を有する第２雄ねじ部１２と、第１雄ねじ部の先端に延設され第１雄ねじ部よりも小さな外径を有する第３雄ねじ部１３と、第２雄ねじ部の先端に延設され第３雄ねじ部よりも小さな外径を有する第４雄ねじ部１４とを備える。【選択図】図１
0003218337.tif 000002
【実用新案登録請求の範囲】
【請求項１】
ハンドルおよび清掃具本体を着脱可能に連結するねじ込み式のアダプタであって、
中央部と、
前記中央部に立設される第１雄ねじ部と、
前記中央部に立設され前記第１雄ねじ部と同一の外径を有する第２雄ねじ部と、
前記第１雄ねじ部の先端に延設され前記第１雄ねじ部よりも小さな外径を有する第３雄ねじ部と、
前記第２雄ねじ部の先端に延設され前記第３雄ねじ部よりも小さな外径を有する第４雄ねじ部とを備える、アダプタ。
【請求項２】
前記第３雄ねじ部から前記第４雄ねじ部まで直線状に延びる、請求項１に記載のアダプタ。
【請求項３】
前記第４雄ねじ部の軸長が前記第２雄ねじ部の軸長よりも長い、請求項１または２に記載のアダプタ。
【請求項４】
前記第４雄ねじ部のねじ山のピッチ間隔および高さが前記第２雄ねじ部のねじ山のピッチ間隔および高さよりも大きい、請求項１〜３のいずれかに記載のアダプタ。
【請求項５】
前記第３雄ねじ部の外径が、前記第１雄ねじ部から離れるほど徐々に小さくなるよう先細に形成される、請求項１〜４のいずれかに記載のアダプタ。
【請求項６】
前記第３雄ねじ部と前記第１雄ねじ部の間、および／または前記第４雄ねじ部と前記第２雄ねじ部の間に、段差が形成される、請求項１〜５のいずれかに記載のアダプタ。
【請求項７】
前記中央部の断面形状が前記第１雄ねじ部および前記第２雄ねじ部のねじ山の外径よりも大きく、
前記第１雄ねじ部と前記中央部の間、および前記第２雄ねじ部と前記中央部の間に、段差が形成される、請求項１〜６のいずれかに記載のアダプタ。
【請求項８】
前記中央部の表面には、前記第１雄ねじ部および前記第２雄ねじ部と連続する雄ねじが形成される、請求項１〜６のいずれかに記載のアダプタ。
【考案の詳細な説明】
【技術分野】
【０００１】
本考案は、ハンドルに器具本体を脱着可能に接続するアダプタに関する。
【背景技術】
【０００２】
ハンドルと、ハンドルに取り付けられる清掃具本体として例えば実用新案登録第３１２７６０５号公報（特許文献１）に記載される構造が知られている。特許文献１の清掃具本体にはねじ孔が形成される。ハンドル先端にはねじ部が形成される。そしてハンドル先端のねじ部が、清掃具本体のねじ孔に螺合することにより、ハンドルが清掃具本体に結合される。
【先行技術文献】
【特許文献】
【０００３】
【特許文献１】実用新案登録第３１２７６０５号公報
【考案の概要】
【考案が解決しようとする課題】
【０００４】
しかし、上記従来のようなハンドルと清掃具本体の取付構造にあっては、以下に説明するような問題を生ずる。つまり清掃具本体には、ブラシ、モップ、スクイジー（水切り）等の複数の種類が存在し、サイズの異なる複数の種類が存在し、ねじ孔も１種類に限定されない。このため、ねじ孔の種類毎にハンドルを準備する必要があった。
【０００５】
本考案は、上述の実情に鑑み、ねじ孔が異なる清掃具本体を、共通するハンドルに着脱可能に連結することができる構造を提供することを目的とする。
【課題を解決するための手段】
【０００６】
この目的のため本考案によるアダプタは、ハンドルおよび清掃具本体を着脱可能に連結するねじ込み式のアダプタであって、中央部と、中央部に立設される第１雄ねじ部と、中央部に立設され第１雄ねじ部と同一の外径を有する第２雄ねじ部と、第１雄ねじ部の先端に延設され第１雄ねじ部よりも小さな外径を有する第３雄ねじ部と、第２雄ねじ部の先端に延設され第３雄ねじ部よりも小さな外径を有する第４雄ねじ部とを備える。
【０００７】
本考案のアダプタはハンドルと清掃具本体の間に介在し、ねじ同士の螺合により、ハンドルに清掃具本体を連結する。この際、アダプタの一端と他端を逆にして使用することにより、２種類の清掃具本体を共通するハンドルに取り付けることができる。またねじ同士の螺合を緩めることにより、清掃具本体は適宜交換される。
【０００８】
具体的にはハンドルの先端に雌ねじ部分が形成され、このハンドル雌ねじ部分がアダプタの第１雄ねじ部に螺合する。そうするアダプタの第４雄ねじ部がハンドルから突出する。清掃具本体に雌ねじ部分が形成され、この本体雌ねじ部分がアダプタの第４雄ねじ部に螺合する。使用者が清掃具本体を交換する場合、使用者はハンドル雌ねじ部分とアダプタの第１雄ねじ部を分離し、本体雌ねじ部分とアダプタの第４雄ねじ部を分離するとよい。次にハンドル雌ねじ部分とアダプタの第２雄ねじ部を螺合する。そうするアダプタの第３雄ねじ部がハンドルから突出する。別な本体雌ねじ部分がアダプタの第３雄ねじ部に螺合する。
【０００９】
ハンドルは、棒状体であってもよいし、あるいは他の形状であってもよい。雌ねじ部分はハンドルの先端に形成されるとよいが、これに限定されない。清掃具本体は、ブラシ、モップ、スクイジー（水切り）等、何でもよく、特に限定されない。雌ねじ部分は清掃具本体の先端に形成されてもよいし、あるいは清掃具本体の中央部に形成されてもよい。
【００１０】
本考案の一局面として、第３雄ねじ部から第４雄ねじ部まで直線状に延びる。他の局面として、第３雄ねじ部と第４雄ねじ部の間の区間が折れ曲がって延びていてもよい。
【００１１】
本考案の好ましい局面として、第４雄ねじ部の軸長が第２雄ねじ部の軸長よりも長い。かかる局面によれば、第４雄ねじ部の外径が小さくても相手の雌ねじ部に確りと螺合することができる。他の局面として、第４雄ねじ部の軸長が第２雄ねじ部の軸長以下であってもよい。
【００１２】
本考案の一局面として、第４雄ねじ部のねじ山のピッチ間隔および高さが第２雄ねじ部のねじ山のピッチ間隔および高さよりも大きい。他の局面として、第４雄ねじ部のねじ山のピッチ間隔が第２雄ねじ部のねじ山のピッチ間隔以下であってもよい。あるいは第４雄ねじ部のねじ山の高さが第２雄ねじ部のねじ山の高さ以下であってもよい。
【００１３】
本考案の一局面として、第１雄ねじ部の外径および第２雄ねじ部の外径が、長さ方向に亘って一定に形成され、第３雄ねじ部の外径が第１雄ねじ部から離れるほど徐々に小さくなるよう先細に形成される。他の局面として第３雄ねじ部の外径が、長さ方向に亘って一定に形成されてもよい。
【００１４】
アダプタは、中央領域で太く、両端領域が細く形成される。中央領域の外周面には第１および第２雄ねじ部が形成され、両端領域の外周面には第３および第４雄ねじ部がそれぞれ形成される。本考案の一局面として、第３雄ねじ部と第１雄ねじ部の間、および／または第４雄ねじ部と第２雄ねじ部の間に、段差が形成される。段差はアダプタの端部に向かって指向する。かかる局面によれば、アダプタの段差を、螺合する相手になる清掃具に接触させ、清掃具を確りと固定することができる。
【００１５】
本考案の一局面として、アダプタ中央部の断面形状が第１雄ねじ部および第２雄ねじ部のねじ山の外径よりも大きく、第１雄ねじ部と中央部の間、および第２雄ねじ部と中央部の間に、段差が形成される。かかる局面によれば、アダプタの段差を、螺合する相手になるハンドルに接触させ、ハンドルを確りと固定することができる。
【００１６】
他の局面として、アダプタ中央部の断面形状が第１雄ねじ部および第２雄ねじ部のねじ山の外径以下であってもよい。あるいは中央部の外周面に第１雄ねじ部および第２雄ねじ部と共通する雄ねじが形成されてもよい。
【考案の効果】
【００１７】
このように本考案によれば、雌ねじ部分の異なる２種類の清掃具本体であっても、共通するハンドルに交換可能に連結することができる。
【図面の簡単な説明】
【００１８】
【図１】本考案の一実施形態を示す斜視図である。
【図２】同実施形態に接続されるハンドルの雌ねじ部材を示す斜視図である。
【図３】同実施形態の第１の使用方法を示す分解図である。
【図４】同実施形態の第２の使用方法を示す分解図である。
【図５】第１の使用方法によって連結された清掃具本体を示す模式図である。
【図６】第２の使用方法によって連結された清掃具本体を示す模式図である。
【考案を実施するための形態】
【００１９】
以下、本考案の実施の形態を、図面に基づき詳細に説明する。図１は、本考案の一実施形態になるアダプタを示す斜視図である。図２は、同実施形態と螺合するハンドルの雌ねじ部材を示す斜視図である。アダプタ１０は、棒状体であり、棒状体の中央部１５で最も大径とされ、棒状体の一方領域および他方領域が中央部１５よりも細く形成される。アダプタ１０の一方領域の外周面には、第１雄ねじ部１１と、第３雄ねじ部１３が形成される。アダプタ１０の他方領域の外周面には、第２雄ねじ部１２と、第４雄ねじ部１４が形成される。
【００２０】
第１雄ねじ部１１および第２雄ねじ部１２は中央部１５に隣接する。第１雄ねじ部１１および第２雄ねじ部１２の外径は等しいことから、第１雄ねじ部１１および第２雄ねじ部１２のねじ山のピッチ間隔および高さは同じである。このため第１雄ねじ部１１および第２雄ねじ部１２は、共通するハンドルの雌ねじ部分に螺合可能である。第１雄ねじ部１１および第２雄ねじ部１２のねじ山における外径は、中央部１５の外径よりも小径である。第２雄ねじ部１２と中央部１５の境界には環状の段差１６が形成される。段差１６はアダプタ１０の端部に向かって指向する。同様に、第１雄ねじ部１１と中央部１５の境界には環状の段差１９が形成される。
【００２１】
第３雄ねじ部１３は、アダプタ１０の一方端部に設けられる。第１雄ねじ部１１と第３雄ねじ部１３の間には境界部１７が介在する。境界部１７は円形断面である。第３雄ねじ部１３の外径は、第１雄ねじ部１１の外径よりも小さい。さらに第３雄ねじ部１３は先細形状に形成される。第３雄ねじ部１３の外径は、第１雄ねじ部１１から離れるほど徐々に小さくなる。第３雄ねじ部１３の軸長は、第１雄ねじ部１１の軸長よりも長い。
【００２２】
第４雄ねじ部１４は、アダプタ１０の他方端部に設けられる。第２雄ねじ部１２と第４雄ねじ部１４の間には境界部１８が介在する。境界部１８は円形断面である。第４雄ねじ部１４の外径は、第２雄ねじ部１２の外径よりも小さい。第２雄ねじ部１２と第４雄ねじ部１４の境界には環状の段差２０が形成される。第４雄ねじ部１４のねじ山の外径は軸方向に亘って一定である。第４雄ねじ部１４の軸長は、第２雄ねじ部１２の軸長よりも長い。第４雄ねじ部１４の先端には平坦な円形の端面２２が形成される。
【００２３】
図２に示すハンドル側部材３０は、真っ直ぐに延びるパイプ状の部材であり、両端に開口が形成される。ハンドル側部材３０の一端領域３２の外径と他端領域３３の外径は異なる。一端領域３２にはハンドル本体３１が差し込まれて固定される。他端領域３３には雌ねじ部分３４が形成される。雌ねじ部分３４は第１雄ねじ部１１および第２雄ねじ部１２と適合する。
【００２４】
図３は本実施形態のアダプタに関し、第１の使用方法を示す分解図である。図５は第１の使用方法によって連結された清掃具本体を示す模式図である。ハンドル本体３１の先端に設けられるハンドル側部材３０は、アダプタ１０に取付固定される。具体的にはアダプタ１０の第３雄ねじ部１３と境界部１７が、ハンドル側部材３０の他端領域３３に差し込まれ、アダプタ１０の第１雄ねじ部１１がハンドル側部材３０の雌ねじ部分３４に螺合し、他端領域３３の先端３５が全周に亘ってアダプタ１０の段差１９に接触する。
【００２５】
さらにアダプタ１０は清掃具本体４０に取付固定される。具体的には清掃具本体４０に雌ねじ部分４１が形成され、雌ねじ部分４１が第４雄ねじ部１４に螺合する。またアダプタ１０の端面２２が雌ねじ部分４１の穴底に接触し、雌ねじ部分４１の先端４２が全周に亘ってアダプタ１０の段差２０に接触する。かくしてハンドル本体３１およびハンドル側部材３０はアダプタ１０を介して清掃具本体４０に確りと連結固定される。また上述した螺合を緩めることにより、ハンドル側部材３０と、アダプタ１０と、清掃具本体４０は分離される。なお第１の使用方法では、第２雄ねじ部１２および第３雄ねじ部１３が相手材と螺合しない。
【００２６】
図４は本実施形態のアダプタに関し、第２の使用方法を示す分解図である。図６は第２の使用方法によって連結された清掃具本体を示す模式図である。第２の使用方法と第１の使用方法を対比して、アダプタ１０は一端と他端を逆にして使用される。具体的にはアダプタ１０の第４雄ねじ部１４と境界部１８が、ハンドル側部材３０の他端領域３３に差し込まれ、アダプタ１０の第２雄ねじ部１２がハンドル側部材３０の雌ねじ部分３４に螺合し、他端領域３３の先端３５が全周に亘ってアダプタ１０の段差１６に接触する。
【００２７】
さらにアダプタ１０は別な清掃具本体５０に取付固定される。具体的には清掃具本体５０に雌ねじ部分５１が形成され、雌ねじ部分５１が第３雄ねじ部１３に螺合する。第３雄ねじ部１３の端面には、有底穴２１が形成されている。雌ねじ部分５１の穴底には突起５２が形成される。突起５２は有底穴２１の内部に通されて、突起５２の先端が有底穴２１の平坦な穴底面に接触する。かくしてハンドル本体３１およびハンドル側部材３０はアダプタ１０を介して清掃具本体５０に確りと連結固定される。また上述した螺合を緩めることにより、ハンドル側部材３０と、アダプタ１０と、清掃具本体５０は分離される。なお第２の使用方法では、第１雄ねじ部１１および第４雄ねじ部１４が相手材と螺合しない。
【００２８】
第１雄ねじ部１１から第４雄ねじ部１４まで、これらのねじの向きは、時計回りに締め込む一般的なものである。雌ねじ部分３４，４１，５１のねじの向きも、時計回りに締め込む一般的なものである。なお図示しない変形例として、第１雄ねじ部１１から第４雄ねじ部１４までの少なくとも１つのねじの向きを逆ねじにしてもよい。アダプタ１０の使用方法は、上述した第１および第２の使用方法に限定されない。ハンドルは、第１雄ねじ部１１または第３雄ねじ部１３に螺合すれば足り、清掃具本体は、第２雄ねじ部１２または第４雄ねじ部１４に螺合すれば足りる。
【００２９】
本実施形態のアダプタ１０は、ハンドル側部材３０および清掃具本体４０，５０を着脱可能に連結するねじ込み式のアダプタであって、中央部１５と、中央部１５の一方端に延設される第１雄ねじ部１１と、中央部１５の他方端に延設され第１雄ねじ部１１と同一の外径を有する第２雄ねじ部１２と、第１雄ねじ部１１の一方端にさらに延設され第１雄ねじ部よりも小さな外径を有する第３雄ねじ部と、第２雄ねじ部の他方端にさらに延設され第３雄ねじ部よりも小さな外径を有する第４雄ねじ部とを備える。つまりアダプタ１０は、大外径、中外径、小外径という３種類の外径の雄ねじ部を備える。大外径の第１および第２雄ねじ部はハンドル側部材と螺合し、残る中外径および小外径の第３および第４雄ねじ部は、異なる２種類の清掃具本体と螺合可能である。
【００３０】
本実施形態のアダプタ１０は、第３雄ねじ部１３から第４雄ねじ部１４まで直線状に延びる。第４雄ねじ部１４の軸長は第２雄ねじ部１２の軸長よりも長い。第４雄ねじ部１４のねじ山のピッチ間隔および高さが第２雄ねじ部１２のねじ山のピッチ間隔および高さよりも大きい。第３雄ねじ部１３の外径は、第１雄ねじ部１１から離れるほど徐々に小さくなるよう先細に形成される。アダプタ１０の端部に設けられる第４雄ねじ部１４とアダプタ１０の中央側に設けられる第２雄ねじ部１２の間には、段差２０が形成される。段差２０はアダプタ１０の端部に向かって指向する。中央部１５の断面形状は円断面であり、第１雄ねじ部１１および第２雄ねじ部１２のねじ山の外径よりも大きい。第１雄ねじ部１１と中央部１５の間には、段差１９が形成される。第２雄ねじ部１２と中央部１５の間には、段差１６が形成される。
【００３１】
図示した実施形態の他、図示しない変形例として、中央部１５の表面には、第１雄ねじ部１１および第２雄ねじ部１２と連続する雄ねじが形成されてもよい。
【００３２】
また図示しない変形例として、第３雄ねじ部１３と境界部１７の境界には、環状の段差が形成されてもよい。かかる段差は、前述した段差２０と同様、全周に亘って清掃具本体の雌ねじ部分の先端と接触するとよい。これによりアダプタ１０と清掃具本体５０の接続を強固にすることができる。
【００３３】
以上、図面を参照して本考案の実施の形態を説明したが、本考案は、図示した実施の形態のものに限定されない。図示した実施の形態に対して、本考案と同一の範囲内において、あるいは均等の範囲内において、種々の修正や変形を加えることが可能である。例えば上述した１の実施形態から一部の構成を抜き出し、上述した他の実施形態から他の一部の構成を抜き出し、これら抜き出された構成を組み合わせてもよい。
【産業上の利用可能性】
【００３４】
本考案は清掃器具において有利に利用される。
【符号の説明】
【００３５】
１０  アダプタ、      １１  第１雄ねじ部、      １２  第２雄ねじ部、    
１３  第３雄ねじ部、      １４  第４雄ねじ部、      １５  中央部、      
１６，１９，２０  段差、      ２１  有底穴、      ３０  ハンドル側部材、      
３１  ハンドル本体、      ３２  一端領域、      ３３  他端領域、      
３４  雌ねじ部分、      ４０，５０  清掃具本体、      
４１，５１  雌ねじ部分、      ５２  突起。
【図１】
0003218337.tif 000003
【図２】
0003218337.tif 000004
【図３】
0003218337.tif 000005
【図４】
0003218337.tif 000006
【図５】
0003218337.tif 000007
【図６】
0003218337.tif 000008